(57)【要約】外周帯板（３）から成る枠と、互いに交差してかみ合う内側帯板（２）を備え、外周帯板の外側面にえら（５）を配置した沸騰水形原子炉の燃料集合体のスペーサ（１）に関する。本発明に基づき、外周帯板の外側面に、壁の湾曲によって一体形成された複数の突起（９）が設けられ、これら突起の突出高さがえら（５）の突出高さより大きくされる。この結果、えらが燃料チャネルの内側面を引っ掻いて細かい金属片を削り取り或いはえら自体が損傷する危険を回避できる。
2005518551.tif 000002
【特許請求の範囲】
【請求項１】
外周帯板（３）から成る枠と、互いに交差してかみ合う内側帯板（２）とを備え、外周帯板（３）の外側面にえら（５）が配置された沸騰水形原子炉用燃料集合体のスペーサ（１）において、外周帯板（３）の外側面に、壁の湾曲により一体形成された複数の突起（９）が設けられ、該突起（９）の突出高さがえら（５）の突出高さより大きいことを特徴とするスペーサ。
【請求項２】
突起（９）がえら（５）の下に配置されたことを特徴とする請求項１記載のスペーサ。
【請求項３】
突起（９）が内側帯板（２）の範囲に配置され、突起（９）の下縁に案内傾斜板（１３）が一体形成されたことを特徴とする請求項２記載のスペーサ。
【請求項４】
内側帯板（２）に、その側縁よりも横に突出した第１支持部分（１７）が一体形成され、該部分が突起（９）内に延びて、この突起に結合されたことを特徴とする請求項３記載のスペーサ。
【請求項５】
内側帯板（２）の下縁に、傾斜縁（２０）を有する第２支持部分（１９）が一体形成され、案内傾斜板（１３）が前記傾斜縁（２０）に接触支持されたことを特徴とする請求項４記載のスペーサ。
【請求項６】
突起（９）の外側面に、軸方向（５）に延びる窪み（４）が設けられ、該窪み内に、第１支持部分（１７）が少なくとも部分的にはまり込むスリット（１６）が配置されたことを特徴とする請求項４又は５記載のスペーサ。
【発明の詳細な説明】
【技術分野】
【０００１】
本発明は、沸騰水形原子炉の燃料集合体のスペーサに関する。
【０００２】
例えば米国特許第４９９９１５３号明細書で公知のこの種スペーサは、通常互いに交差してかみ合う内側帯板と、外周帯板から成り内側帯板を包囲する枠とからなっている。外周帯板は開口を備え、該開口は燃料チャネルの内側面に沿って流れる冷却材膜を剥がして内側に導き、もって冷却材を燃料棒と接触させる。その開口の上縁と、それに続く外周帯板の壁部とは、外側に向けて湾曲している。この部分は、通常えらと呼ばれている。
【０００３】
燃料集合体の補修、例えば燃料棒の交換のため、燃料棒束を燃料チャネルから取り出し、後で再挿入する必要がある。例えばジルカロイから成るスペーサの場合、放射線照射による幅成長を可能にすべく、えらの突出高さは、組立状態においてえらと燃料チャネルの間に隙間が存在するよう設計している。しかし該隙間は、えらが燃料チャネルの内側面に接触することを防止し得ない。そのため突出したえらが燃料チャネルの内側面を引っ掻き、細かい金属片を削り取り或いはえら自体が損傷する危険がある。
【０００４】
本発明の課題は、上述の問題を解消する処置を講じたスペーサを提供することにある。
【０００５】
この課題は、請求項１に基づき、外周帯板の外側面に、壁湾曲により一体形成した複数の突起を設け、該突起の突出高さをえらの突出高さより大きくすることで解決できる。かくして、燃料棒束を燃料チャネル内に挿入する際にえらが損傷することも、燃料チャネルから金属粒子が削り取られることも有効に防止できる。突起はえらの下側に配置するとよい。かくして、燃料棒束を燃料チャネル内に挿入する際、えらが燃料チャネルの上縁に衝突するのを防止できる。なお、燃料棒束の燃料チャネルへの挿入は、放射線から防護すべく、数ｍの深さの水中で行わねばならない。同じ目的で、本発明の他の有利な実施態様では、突起の下側縁に、スペーサの中心に向けて折り曲げた案内傾斜板を設ける。燃料棒束が燃料チャネルへの挿入時にねじられていると、まず案内傾斜板が燃料チャネルの上縁に衝突し、燃料棒束を心出しさせ、摩擦のない挿入を可能とする。その際、突起は同時に燃料棒束の挿入補助手段として働き、二重の機能を満足する。突起を内側帯板の範囲に配置し、これに伴い突起に作用する力を内側帯板に伝達するとよい。また内側帯板を、突起を支持しかつ突起に一体形成した案内傾斜板を支持するために用いる。そのため、内側帯板は第１および第２支持部分を有し、第１支持部分は突起内に延び、そこで突起の内側壁と共働し、第２支持部分は案内傾斜板が接触する傾斜縁を備える。
【０００６】
本発明の好適な実施態様では、突起の壁に、軸方向又は燃料集合体の長手方向に延びるスリットを設け、該スリット内に第１支持部分を少なくとも部分的にはめ込むことで、突起の範囲における内側帯板の固定を行う。前記スリットは、突起の外側面に存在する窪みに配置する。これは、内側帯板を外周帯板に結合するための溶接継手を、この溶接継手を突起の外側面を突出させることなく設けられるという利点を有する。
【０００７】
以下、図示の実施例を参照して本発明を詳細に説明する。
【０００８】
図から理解できるように、沸騰水形原子炉の燃料集合体に対するスペーサ１は、互いに交差してかみ合った内側帯板２と、該帯板を包囲し外周帯板３から成る枠とで構成されている。内側帯板２は、組立状態では燃料棒４が貫通する格子目を形成している。外周帯板３の外側面に、複数のえら５が設けられている。これらえらは開口６を有し、この開口６の上縁とそれに続く外周帯板の壁部７とは、外側に向けて湾曲している。燃料棒束を燃料チャネル８内に挿入する際、えら５又は壁部７が燃料チャネル８の内側壁に接触するのを防止すべく、外周帯板３の外側面から、壁湾曲によって一体形成された突起９が突出している。この突起９の突出高さはえら５の突出高さより大きく、この結果、組立状態において又は燃料棒束の燃料チャネル８への挿入時、えら５と燃料チャネル８の内側面との間隔１０が、突起９と燃料チャネル８の内側面との間隔１１より大きくされている。
【０００９】
突起９の下縁１２に、内側に曲げられたほぼへら状の案内傾斜板（デフレクタ片）１３が一体形成されている。突起９の外側面に窪み１４が存在し、該窪み内には、軸方向１５に延びるスリット１６がある。図３と４から明らかなように、突起９に対応する内側帯板２に、その側縁から突出する第１支持部分１７が一体形成され、該部分は突起９内に延びている。第１支持部分１７は突起９の内側輪郭に相応した輪郭形状を有する。第１支持部分１７にスリット１６にはまり込む接続片２１が一体形成され、該接続片２１は突起９の外側から溶接継手１８で外周帯板３に固定されている。内側帯板２の下縁に第２支持部分１９が一体形成され、該部分は案内傾斜板１３の傾斜位置に対し補足的に形成された傾斜縁２０を備える。該傾斜縁２０で案内傾斜板１３が接触支持される。
【図面の簡単な説明】
【００１０】
【図１】本発明に基づくスペーサの一部側面図。
【図２】図１における矢印ＩＩ方向から見た底面図。
【図３】燃料チャネルの近くに配置されたスペーサ部分の断面図。
【図４】図３における部分ＩＶの拡大詳細図。
【符号の説明】
【００１１】
１  スペーサ、２、３  帯板、４  燃料棒、５  えら、６  開口、７  壁部、８  燃料チャネル、９  突起、１０  えらと燃料チャネルの内側面との間隔、１１  突起と燃料チャネルの内側面との間隔、１２  下縁、１３  案内傾斜板、１４  窪み、１５  軸方向、１６  スリット、１７、１９  支持部分、１８  溶接継手、２０  傾斜縁、２１  接続片
【図１】
2005518551.tif 000003
【図２】
2005518551.tif 000004
【図３】
2005518551.tif 000005
【図４】
2005518551.tif 000006
【国際調査報告】
2005518551.tif 000007
2005518551.tif 000008
2005518551.tif 000009
2005518551.tif 000010
2005518551.tif 000011
2005518551.tif 000012